(57)【要約】【課題】  本発明は、シャーシベースに回路基板を装着するにおいて費用を低減させ、作業性を向上させるプラズマディスプレイ装置を提供する。【解決手段】  本発明によるプラズマディスプレイ装置は、パネルと、前記パネルを付着支持するシャーシベース、及び前記シャーシベースのパネルの反対側に設置される回路基板を含み、前記シャーシベースは、前記回路基板に対応して多数配置されるボス部及び支持部材を備える。【選択図】    図３
2005331948.tif 000002
【特許請求の範囲】
【請求項１】
プラズマディスプレイパネルと、前記プラズマディスプレイパネルの背面側に沿って配置されて前記プラズマディスプレイパネルを支持するシャーシベースと、前記シャーシベースにおける前記プラズマディスプレイパネルと反対側の面に設置される回路基板と、を備え、
前記シャーシベースは、前記回路基板に向けて突設された、ボス部と支持部材とを備え、前記回路基板を前記ボス部と支持部材とで支持されることを特徴とするプラズマディスプレイ装置。
【請求項２】
前記回路基板は、前記ボス部と前記支持部材とに当接すると共に、前記ボス部に締結される取付ねじで固定されることを特徴とする請求項１に記載のプラズマディスプレイ装置。
【請求項３】
前記ボス部は、前記回路基板が配置される領域の周縁部に沿うように配置され、前記回路基板の周縁部近傍に当接することを特徴とする請求項１又は請求項２に記載のプラズマディスプレイ装置。
【請求項４】
前記ボス部は、前記回路基板の各角部に対応して配置されることを特徴とする請求項１乃至請求項３のいずれか一項に記載のプラズマディスプレイ装置。
【請求項５】
前記支持部材は、少なくとも一対の前記ボス部の間に配置されることを特徴とする請求項１乃至請求項４のいずれか一項に記載のプラズマディスプレイ装置。
【請求項６】
前記支持部材は、前記シャーシベースに一体に立ち上がるように形成された垂直部と、この垂直部の先端部から前記シャーシベースと平行をなす方向に延在された平行部とを含むことを特徴とする請求項１乃至請求項５のいずれか一項に記載のプラズマディスプレイ装置。
【請求項７】
前記支持部材は、前記シャーシベースを切り起こして形成されたことを特徴とする請求項６に記載のプラズマディスプレイ装置。
【請求項８】
前記平行部は、前記回路基板に形成された孔に挿入される突起を備えることを特徴とする請求項６又は請求項７に記載のプラズマディスプレイ装置。
【請求項９】
前記突起は、前記平行部に、前記垂直部の突出方向に向けて形成されていることを特徴とする請求項８に記載のプラズマディスプレイ装置。
【請求項１０】
前記突起は、前記平行部の先端を垂直部の突出方向に沿って折り曲げて形成されていることを特徴とする請求項８に記載のプラズマディスプレイ装置。
【請求項１１】
前記突起は、前記平行部の幅より狭く形成されていることを特徴とする請求項１０に記載のプラズマディスプレイ装置。
【請求項１２】
前記突起は、前記回路基板に形成された前記孔に嵌合していることを特徴とする請求項８乃至請求項１１に記載のプラズマディスプレイ装置。
【請求項１３】
前記平行部上に、前記支持部材と回路基板との間に介在される防振パッドが配置されることを特徴とする請求項６に記載のプラズマディスプレイ装置。
【請求項１４】
前記支持部材は互いに隣接する一対のボス部の間に偶数が配置され、
前記一対のボス部の間の中心を基準として、前記偶数の前記支持部材が対称をなすように配置されていることを特徴とする請求項１に記載のプラズマディスプレイ装置。
【請求項１５】
前記支持部材は互いに隣接する一対のボス部の間に偶数が配置され、
前記一対のボス部の間の中心を基準として、前記中心の一側の前記支持部材の前記垂直部及び前記平行部が、前記中心の他側の支持部材の前記垂直部及び前記平行部と互いに対称をなす構造に形成されていることを特徴とする請求項６に記載のプラズマディスプレイ装置。
【発明の詳細な説明】
【技術分野】
【０００１】
本発明はプラズマディスプレイ装置に係り、より詳しくは、シャーシベースに各種回路基板を効果的に設置することができるプラズマディスプレイ装置に関するものである。
【背景技術】
【０００２】
周知のように、プラズマディスプレイパネル（ＰＤＰ）は、放電セル内で起こる気体放電による真空紫外線で蛍光体を励起させ、画像を形成する表示パネルであって、表示容量と輝度、コントラスト、視野角などの性能が優れており、薄型であると共に軽量で大画面を形成できるものである。
【０００３】
このプラズマディスプレイパネルを使用するプラズマディスプレイ装置は、画像を形成するプラズマディスプレイパネル（以下、単にパネルという。）と、このパネル裏側に配置されてパネルを支持する略板状のシャーシベースと、シャーシベースの裏面側に設置される回路基板と、パネルとシャーシベースと回路基板を囲んでプラズマディスプレイ装置の外形を形成するケースと、で構成される。
【０００４】
このケースは、パネルの前側に位置する前面カバーと、パネルの後側に位置する背面カバーとからなる。ここで、前面カバーと背面カバーは、一般的に互いに結合と分離が可能な結合構造を有する。
【０００５】
シャーシベースに装着される回路基板としては、パワーサプライ基板、イメージ処理基板、ロジック基板、アドレスバッファー基板、維持電極駆動基板、走査電極駆動基板などがある。これらの基板は、シャーシベースに多数備えられてそれぞれに対応するボス部に取付ねじで固定設置され、ＦＰＣ（可撓性印刷基板）のような電気的連結手段によってパネルの電極と連結され、このパネルを駆動させる。
【０００６】
このようなシャーシベースは多数のボスを備えており、回路基板を装着する際には多数の取付けねじを必要とするため、これに伴う費用を増加させ、また、多数の取付けねじを取扱うために作業性が低下する。
【発明の開示】
【発明が解決しようとする課題】
【０００７】
本発明の目的は、シャーシベースに回路基板を装着することによって費用を低減させ、作業性を向上させることができるプラズマディスプレイ装置を提供することにある。
【課題を解決するための手段】
【０００８】
本発明は、プラズマディスプレイ装置であって、プラズマディスプレイパネルと、前記プラズマディスプレイパネルの背面側に沿って配置されて前記プラズマディスプレイパネルを支持するシャーシベースと、前記シャーシベースにおける前記プラズマディスプレイパネルと反対側の面に設置される回路基板と、を備え、前記シャーシベースは、前記回路基板に向けて突設された、ボス部と支持部材とを備え、前記回路基板を前記ボス部と支持部材とで支持されることを要旨とする。
【０００９】
前記回路基板は、ボス部と支持部材上で、ボス部に締結される取付けねじによって固定され、支持部材によって支持される構造を有する。
【００１０】
前記ボス部は回路基板の外郭に対応して配置され、また、回路基板の各頂点に対応して配置されることができる。
【００１１】
前記支持部材は、回路基板に対応するようにボス部の間に配置される。
【００１２】
前記支持部材は、シャーシベースから片持ち梁形状に切り出し、これに加工を施してシャーシベースに一体に形成される垂直部と、回路基板を支持するようにこの垂直部から折り曲げられる平行部とを含む。
【００１３】
前記平行部は、回路基板の孔に挿入される突起を備える。この突起は、平行部をプレス加工して、この平行部から、垂直部の先端方向に平行部の一部分を突出形成される。また、この突起は、平行部の先端を垂直部の先端方向に折り曲げることによっても形成でき、この時、突起の幅を平行部の幅より狭く形成できる。また、前記突起は回路基板の孔に嵌め合わせて結合させることができる。
【００１４】
前記支持部材の平行部上には、防振パッドが前記支持部材と回路基板との間に介されることにより、回路基板またはシャーシベースの振動による騷音発生を緩和することができる。
【００１５】
前記支持部材は、ボス部の間で一つ以上備えられ、偶数で備えられる場合、一側の支持部材の垂直部及び平行部が、隣接する他側の支持部材の垂直部及び平行部と互いに対称構造に配置されるのが好ましい。
【発明の効果】
【００１６】
本発明のプラズマディスプレイ装置によれば、シャーシベースに、ボス部及びこのボス部の間に支持部材を備え、回路基板を取付けねじによってボス部に固定させると共に、回路基板を支持部材に支持してこのシャーシベースに回路基板を装着することにより、取付けねじの個数を減少して費用を低減させ、作業工程数を減少して作業性を向上させる効果がある。
【発明を実施するための最良の形態】
【００１７】
以下、添付した図面を参照して本発明の好ましい実施の形態をより詳細に説明する。
【００１８】
（第１の実施の形態）
図１は、本発明の第１の実施の形態に係るプラズマディスプレイ装置の分解斜視図である。
【００１９】
図１に示すように、本発明のプラズマディスプレイ装置は、実質的に映像を形成するプラズマディスプレイパネル（以下、パネルという。）３、及びこのパネル３の背面、つまり、映像が形成される前面とは反対側の面に配置されてパネル３と結合されるシャーシベース５を含み、このパネル３の前面側に配置される前面カバー７と、シャーシベース５の後面側に配置される背面カバー９とをさらに含む。
【００２０】
ここで、パネル３とシャーシベース５との間には、パネル３から発生する熱をシャーシベース５側に伝達する放熱シート（図示せず）を配置でき、前面カバー７には、パネル３から放射される電磁波を遮蔽させるためのフィルター１１を装着できる。
【００２１】
このように、パネル３は、通常ほぼ四角形（図面において、Ｘ軸方向の長さがＹ軸方向の長さより長い長方形）の形状からなり、シャーシベース５は、パネル３の形状に対応する形状を有し、熱伝導特性に優れた、例えばアルミニウムのような材料で形成される。
【００２２】
このシャーシベース５の一方の面にはパネル３が付設され、その反対側には、パネル３の駆動に必要な回路基板１３が多数装着される。この回路基板１３は実質的に、取付けねじ（図示せず）によって、シャーシベース５の後面に多数備えられるボス部（図示せず）に装着される。
【００２３】
このシャーシベース５の後面に装着される回路基板１３には、維持電極駆動基板、走査電極駆動基板、イメージ処理基板、スイッチングモードパワーサプライ（ＳＭＰＳ）基板などが含まれる。この回路基板１３は周知のように、印刷回路基板上に、ＦＥＴ（電界効果トランジスタ、図示せず）などの各種素子（図示せず）を実装して形成される。
【００２４】
図２は、本発明の第１の実施の形態によるプラズマディスプレイ装置のシャーシベースと回路基板を示した部分平面図であり、図３は、図２のＡ−Ａ線に沿って切断した断面図である。
【００２５】
図２及び図３を参照してシャーシベース５を説明すると、このシャーシベース５は、回路基板１３を装着して支持できるように、これらに対応するボス部１５と支持部材１７を備えている。回路基板１３は、上述のように様々な機能を果たす基板で構成されるが、図２及び図３ではアドレスバッファー基板を例に挙げている。したがって、本発明はアドレスバッファー基板を含む他の基板にも同一に適用できる。
【００２６】
つまり、回路基板１３はボス部１５及び支持部材１７上に対応するように配置されている。そして、この状態で回路基板１３は、取付けねじ２１を孔１３ａに挿入して各ボス部１７に締結し、シャーシベース５に固定支持される。これに加えて、支持部材１７によっても支持される構造となっている。
【００２７】
回路基板１３をシャーシベース５に装着するには、ボス部１５を多様な位置に配置させることもできるが、その個数を最小化して取付けねじ２１の個数を減少させて作業性を向上させている。すなわち、回路基板１３を単純にシャーシベース５の特定の位置に固定できる位置、つまり、回路基板１３の外郭に対応する位置に配置されるのが好ましい。
【００２８】
また、回路基板１３が大略四角形に形成されることを勘案すれば、ボス部１５は、回路基板１３の各隅部付近に対応する位置のシャーシベース５に配置されることが好ましい。このようなボス部１５の配置構造は、取付けねじ２１の個数を低減させると共に、回路基板１３をより安定的に固定できるようになる。
【００２９】
このように回路基板１３の各頂点及び外郭に備えられるボス部１５によって固定される回路基板１３は、ボス部１５の間隔が過度に長くなると、隣接ボス部間での基板の曲がり（垂れ）現象、つまり、図３の仮想線（ａ）で示したような曲がった状況が発生する。
【００３０】
支持部材１７は、回路基板１３のこのような垂れ現象を防止するために、隣接ボス部１５の中間で、シャーシベース５から突出して形成される。したがって、この支持部材１７は回路基板１３の曲がり現象の発生可能性のある位置にだけ形成することもでき、ボス部１５の間に適切な間隔をおいて形成して、設置される回路基板１３の任意の位置を支持することもできる。
【００３１】
このような支持部材１７は、回路基板１３を単純に支持する構造に形成されることもできるが、ボス部１５に固定された回路基板１３がシャーシベース５上でこれと平行な方向に動くことを防止できる構造に形成されるのがさらに好ましい。本実施の形態では回路基板１３を単純に支持することを含んで、前記のようにシャーシベース５の、平面に対して平行な方向に動くことを防止すると共に取付けねじ２１の締結力をさらに強化させる構造を例として説明する。
【００３２】
図４は、本発明の第１の実施の形態によるプラズマディスプレイ装置の支持部材を拡大して示した部分拡大断面図であり、図５は、本発明の第１の実施の形態によるプラズマディスプレイ装置の支持部材を示した斜視図である。
【００３３】
この図面を参照して支持部材１７を説明すると、この支持部材１７は垂直部１７ａと平行部１７ｂを含んで形成される。ここで、垂直部１７ａはシャーシベース５と一体に形成され、シャーシベース５から片持ち梁形状に切り出し、これに加工を施して、シャーシベース５の平面方向に対してパネル３の反対側方向に切曲し、シャーシベース５の平面方向に対して垂直状態を成す。この平行部１７ｂは垂直部１７ａの先端で折り曲げられ、シャーシベース５の平面方向と平行に形成される。この平行部１７ａは、回路基板１３を直接接触支持する部分であって、この垂直部１７ａと平行部１７ｂを合せた高さはボス部１５の高さと同一に形成され、回路基板１３を平行に支持するのが好ましい。このように形成される平行部１７ｂは、回路基板１３のシャーシベース５対向側面を支持して回路基板１３がボス部１５の間で撓んで曲がることを防止する。
【００３４】
この平行部１７ｂは、単純に回路基板１３を支持するように平面状態に形成されることもできるが、回路基板１３がシャーシベース５の平面方向に移動することを防止できるように、突起１７ｃをさらに備えて形成されている。もちろん、この突起１７ｃが挿入できるように回路基板１３の対向側には前記孔１３ａが備えられる。
【００３５】
この突起１７ｃは、様々な構成とすることができる。図４及び図５は、平行部１７ｂで、垂直部１７ａの伸張方向に突出形成される突起１７ｃを例示している。この突起１７ｃは、平行部１７ｂをプレス加工することによって平行部１７ｂで突出形成されることができる。結局、回路基板１３は、孔１３ａと突起１７ｃによって結合された状態を維持しながら突起１７ｃを中心に位置させ、その両側に備えられる平行部１７ｂの広い面で安定した構造に支持される。
【００３６】
（第２の実施の形態）
図６は、本発明の第２の実施の形態に係るプラズマディスプレイ装置の支持部材を拡大して示した部分拡大断面図であり、図７は、本発明の第２の実施の形態によるプラズマディスプレイ装置の支持部材を示した斜視図である。
【００３７】
図６及び図７を参照して支持部材２７を説明すると、この支持部材２７は、上述のように垂直部２７ａと平行部２７ｂを有しながら、上記第１の実施の形態の突起１７ｃと異なる構造の突起２７ｃを備えている。
【００３８】
この突起２７ｃは、平行部２７ｂの先端で、その先端を垂直部２７ａの伸張方向に折り曲げて形成される。この突起２７ｃは、上記第１の実施の形態の突起１７ｃと同様の作用を奏するように、平行部２７ｂの幅より狭く形成されるのが好ましい。
【００３９】
なお、前記突起１７ｃ、２７ｃは、回路基板１３の孔１３ａ、１３ｂに嵌合によって結合されるのが好ましい。
【００４０】
そして、前記支持部材１７、２７は隣接ボス部１５の中間に一つ以上備えられ、ボス部１５の間隔が回路基板１３に曲がりを発生させる程に遠く配置される場合には偶数個備えられるのが良い。
【００４１】
この場合、支持部材１７、２７は互いに対称構造に配置されるのが好ましい。つまり、一側の支持部材と他側の支持部材は前記のように折り曲げられて形成されるので、製作工程上支持部材が正確に垂直及び平行に折り曲げられない場合、一方向に押し付ける力が作用するが、相互対称構造は、前記一方に押し付ける力を相互相殺できるようになる。つまり、一方の支持部材の垂直部及び平行部が、隣接する他方の支持部材の垂直部及び平行部と互いに対称構造に配置される。
【００４２】
また、前記支持部材１７、２７が奇数及び多数で備えられる場合、一部は対称構造に配置され、残部は異なる新条件に合わせて適切に配置されれば良い。
【００４３】
このように、支持部材１７、２７は互いに隣接する一対のボス部の間に偶数が配置され、これら一対のボス部の間の中心を基準として、偶数の支持部材１７、２７が対称をなすように配置されていることが好ましい。また、支持部材は互いに隣接する一対のボス部の間に偶数が配置され、これら一対のボス部の間の中心を基準として、中心の一側の支持部材の垂直部及び平行部が、中心の他側の支持部材の垂直部及び平行部と互いに対称をなす構造に形成されていることが好ましい。
【００４４】
（第３の実施の形態）
図８は、本発明の第３の実施の形態によるプラズマディスプレイ装置の支持部材を拡大して示した部分拡大断面図であり、図９は、本発明の第３の実施の形態によるプラズマディスプレイ装置の支持部材を示した斜視図である。
【００４５】
本実施の形態による支持部材３７も上記第２の実施の形態の支持部材２７と同様に垂直部３７ａと平行部３７ｂを有し、平行部３７ｂから再び折り曲げられて延長される突起３７ｃを備える。同時に、本実施の形態による支持部材３７は、平行部３７ｂ上に防振パッド４０をさらに備える。前記防振パッド４０は回路基板１３と支持部材３７が接触する面との間に介されて、回路基板１３またはシャーシベース５の振動による騷音発生を緩和させる役割を果たす。
【００４６】
このような防振パッド４０は、前記第１の実施の形態による支持部材１７の平行部１７ｂ上に形成されることも可能である。
【００４７】
以上、本発明の好ましい実施の形態について説明したが、本発明はこれに限定されることではなく、特許請求の範囲と発明の詳細な説明及び添付した図面の範囲内で多様に変形して実施するのが可能であり、これもまた本発明の範囲に属する。
【図面の簡単な説明】
【００４８】
【図１】本発明の第１の実施の形態によるプラズマディスプレイ装置の分解斜視図である。
【図２】本発明の第１の実施の形態によるプラズマディスプレイ装置のシャーシベースと回路基板を示した部分平面図である。
【図３】図２のＡ−Ａ線に沿って切断した断面図である。
【図４】本発明の第１の実施の形態によるプラズマディスプレイ装置の支持部材を拡大して示した部分拡大断面図である。
【図５】本発明の第１の実施の形態によるプラズマディスプレイ装置の支持部材を示した斜視図である。
【図６】本発明の第２の実施の形態によるプラズマディスプレイ装置の支持部材を拡大して示した部分拡大断面図である。
【図７】本発明の第２の実施の形態によるプラズマディスプレイ装置の支持部材を示した斜視図である。
【図８】本発明の第３の実施の形態によるプラズマディスプレイ装置の支持部材を拡大して示した部分拡大断面図である。
【図９】本発明の第３の実施の形態によるプラズマディスプレイ装置の支持部材を示した斜視図である。
【符号の説明】
【００４９】
３  パネル
５  シャーシベース
７  前面カバー
９  背面カバー
１１  フィルター
１３  回路基板
１５  ボス部
１７、２７、３７  支持部材
１７ａ、２７ａ、３７ａ  垂直部
１７ｂ、２７ｂ、３７ｂ  平行部
１７ｃ、２７ｃ、３７ｃ  突起
２１  取付けねじ
４０  防振パッド
【図１】
2005331948.tif 000003
【図２】
2005331948.tif 000004
【図３】
2005331948.tif 000005
【図４】
2005331948.tif 000006
【図５】
2005331948.tif 000007
【図６】
2005331948.tif 000008
【図７】
2005331948.tif 000009
【図８】
2005331948.tif 000010
【図９】
2005331948.tif 000011